(57)【要約】【課題】遮蔽部材が用いられている建造物内で簡易な構成により低コストで長波標準電波を受信して、電波時計のような受信装置の時刻を修正させるようにした長波標準電波伝送システムを提供すること。【解決手段】ＴＶ共聴システム１０は、アンテナ１、ヘッドエンド２、ハイパスフィルタ３、増幅器４、分波器５ａ、５ｂ・・・、ハイパスフィルタ６ａ、６ｂ・・・、増幅器７ａ、７ｂ・・・、ＴＶ８ａ、８ｂ・・・で構成される。長波標準電波伝送システム３０は、ＴＶ共聴システム１０にアンテナ２１、受信機２２からなる長波標準電波受信システム２０を付加し、合波器３１の出力信号からＬＰＦ３２で長波標準電波を通過させ、各階の室内に設置した電波放射線輪３６ａ、３６ｂ・・・から電波時計３７ａ、３７ｂに微弱電波を放射する。【選択図】　　図１
2004015453.tif 000002
【特許請求の範囲】
【請求項１】
ＴＶ放送の電波を受信する第１のアンテナと、第１のアンテナで受信した信号を分岐する分岐手段とを有し、複数のＴＶ受像機にＴＶ放送の電波を伝送するＴＶ共聴システムを設けると共に、長波標準電波を受信する第２のアンテナと、第２のアンテナで受信した信号の中から長波標準電波の周波数信号のみを通過させるバンドパスフィルタとを設け、当該バンドパスフィルタの出力信号を前記ＴＶ共聴システムのＴＶ放送の電波に重畳して伝送し、微弱電波を受信装置に放射することを特徴とする長波標準電波伝送システム。
【請求項２】
前記受信装置は、電波時計であることを特徴とする請求項１記載の長波標準電波伝送システム。
【請求項３】
前記受信装置で受信した長波標準電波により、電子機器内蔵時計の時刻を修正することを特徴とする請求項１記載の長波標準電波伝送システム。
【請求項４】
前記受信装置で受信した長波標準電波により、周波数発生手段の出力周波数を校正することを特徴とする請求項１記載の長波標準電波伝送システム。
【請求項５】
ＴＶ放送の電波を受信する第１のアンテナと、第１のアンテナで受信した信号を分岐する分岐手段とを有し、複数のＴＶ受像機にＴＶ放送の電波を伝送するＴＶ共聴システムを設け、当該ＴＶ共聴システムに電波時計を内蔵した電子機器を接続すると共に、長波標準電波を受信する第２のアンテナと、第２のアンテナで受信した信号の中から長波標準電波の周波数信号のみを通過させるバンドパスフィルタとを設け、当該バンドパスフィルタの出力信号を前記ＴＶ共聴システムのＴＶ放送の電波に重畳して伝送し、長波標準電波に基づいて前記電子機器に内蔵された電波時計の時刻を修正することを特徴とする長波標準電波伝送システム。
【発明の詳細な説明】
【０００１】
【発明の属する技術分野】
本発明は、鉄骨などの遮蔽部材が用いられている建造物内に、既存のＴＶ共聴システムを用いて長波標準電波を受信して、受信装置に伝送できる構成とした、長波標準電波伝送システムに関する。
【０００２】
【従来の技術】
日本標準時刻信号（ＪＪＹ）として、長波標準電波が用いられている。この長波標準電波は、東日本では４０ｋＨｚの周波数が使用され、西日本では６０ｋＨｚの周波数が使用されている。長波標準電波の波長は、東日本では７．５ｋｍ、西日本では５ｋｍとなる長波帯の領域で形成されている。
【０００３】
国内の標準時は、東京小金井市にある通信総合研究所のセシウムビーム型原子周波数標準器を用いて形成される。当該標準時の信号は、一旦国内の東西二個所に設置されている送信所に送信され、各送信所から全国に長波標準電波が長波垂直偏波で送信されている。
【０００４】
電波時計は、前記のようにセシウム原子時計による時刻情報を用いて時刻を修正しているので精度が高く、また、電離層反射による影響が少ないので短波標準電波よりも信頼性が高いという特性がある。このため、近年長波標準電波による時刻修正機能を用いた電波時計が各方面で用いられている。一例として、ソーラ電池と組み合わせて公園などの屋外大時計としての用途が実用化されている。
【０００５】
長波標準電波による時刻修正機能を用いた電波時計には、このように種々の利点がある。しかしながら、長波標準電波は前記のように原理上波長が極めて長いという性質がある。このため、柱や梁などの縦横の部材に鉄骨を用いた建造物は、長波標準電波に対してはメッシュ構造となって電波通過を遮断する遮蔽部材として作用することになる。このため、長波標準電波は当該建造物内では受信できなくなり、建造物内部に存在する電波時計の時刻を修正することができない、という問題がある。
【０００６】
そこで、長波標準電波に対して鉄骨などの遮蔽部材を用いた建造物内に長波標準電波を受信する手段として、既存のＴＶ共聴システムを用いることが考えられる。図４は、ＴＶ共聴システムの一例を示すブロック図である。図３において、ＴＶ共聴システム１０は、屋上などに設置されたアンテナ１で、ＶＨＦ、ＵＨＦ、ＢＳ、ＣＳなどのＴＶ放送電波を受信する。ＢＳ、ＣＳの放送電波は、中間周波数に変換され、ＴＶ共聴システムに混合される。受信周波数領域は、ＶＨＦからＣＳまでの例えば７０ＭＨｚ〜１５５０ＭＨｚである。
【０００７】
アンテナ１で受信したＴＶ放送電波は、ヘッドエンド２に入力される。ヘッドエンド２は、分配回路や混合回路などを含む周知の構成であり、建造物の各階でＴＶ放送を視聴するための必要な処理がなされる。ヘッドエンド２の出力信号は、ハイパスフィルタ３に導入される。ハイパスフィルタ３では、前記ＴＶ放送電波の受信に不要となる７０ＭＨｚよりも低い周波数の信号を遮断して、７０ＭＨｚ以上の周波数の信号のみを通過させる。
【０００８】
ハイパスフィルタ３を通過したＴＶ帯域の高周波の信号は、増幅器４により信号レベルの低下が補償される。５ａ、５ｂ・・・は、Ｎ１、Ｎ２・・・の各階毎に設けられている分波器、６ａ、６ｂ・・・はハイパスフィルタ、７ａ、７ｂ・・・は増幅器、８ａ、８ｂ・・・はＴＶ受像機である。なお、分波器５ａ、５ｂは、アンテナ１で受信したＴＶ放送電波を分岐してＴＶ受像機に伝送するものであり、各階毎に設ける他に、建造物の同一階に設置することもできる。
【０００９】
【発明が解決しようとする課題】
既存のＴＶ共聴システムは、図４に示しているように、７０ＭＨｚ以下の周波数成分の信号はＴＶ放送電波受信の際にノイズとなるために除去しており、建造物内では受信できない構成とされている。このため、周波数が４０ｋＨｚ、６０ｋＨｚの長波標準電波は、既存のＴＶ共聴システムでは受信できないことになる。建造物内に存在する電波時計のような受信装置の時刻を修正させるためには、ＴＶ共聴システムとは別個の長波標準電波専用の伝送システムを構築する必要があり、コストが高くなるという問題があった。
【００１０】
【課題を解決するための手段】
本発明は、上記課題を解決するものであって、遮蔽部材が用いられている建造物内で簡易な構成により低コストで長波標準電波を受信して、電波時計のような受信装置の時刻を修正させる構成とした長波標準電波伝送システムの提供を図るものである。
【００１１】
そのために本発明は、ＴＶ放送の電波を受信する第１のアンテナと、第１のアンテナで受信した信号を分岐する分岐手段とを有し、複数のＴＶ受像機にＴＶ放送の電波を伝送するＴＶ共聴システムを設けると共に、長波標準電波を受信する第２のアンテナと、第２のアンテナで受信した信号の中から長波標準電波の周波数信号のみを通過させるバンドパスフィルタとを設け、当該バンドパスフィルタの出力信号を前記ＴＶ共聴システムのＴＶ放送の電波に重畳して伝送し、微弱電波を受信装置に放射することを特徴とするものである。
【００１２】
また、前記受信装置は、電波時計であることを特徴とするものである。また、前記受信装置で受信した長波標準電波により、電子機器内蔵時計の時刻を修正することを特徴とするものである。また、前記受信装置で受信した長波標準電波により、周波数発生手段の出力周波数を校正することを特徴とするものである。
【００１３】
また、本発明はＴＶ放送の電波を受信する第１のアンテナと、第１のアンテナで受信した信号を分岐する分岐手段とを有し、複数のＴＶ受像機にＴＶ放送の電波を伝送するＴＶ共聴システムを設け、当該ＴＶ共聴システムに電波時計を内蔵した電子機器を接続すると共に、長波標準電波を受信する第２のアンテナと、第２のアンテナで受信した信号の中から長波標準電波の周波数信号のみを通過させるバンドパスフィルタとを設け、当該バンドパスフィルタの出力信号を前記ＴＶ共聴システムのＴＶ放送の電波に重畳して伝送し、長波標準電波に基づいて前記電子機器に内蔵された電波時計の時刻を修正することを特徴とするものである。
【００１４】
本発明は、このように、既存のＴＶ共聴システムに簡単な構成を付加することにより、遮蔽部材を用いた建造物においても長波標準電波を受信して受信装置に伝送することができる。このため、専用の伝送回路が不要であり長波標準電波を受信するためのコストを低減することができる。この際に、ＴＶ放送信号に低域信号の歪が混入することを防止しているので、ＴＶ視聴に影響を及ぼすことを避けることができる。
【００１５】
また、建造物内部に設置されている電波時計や電子機器の内蔵時計の時刻を標準時刻に修正することが可能となる。更に、受信装置に設けられている周波数発生装置の出力周波数を校正することができる。
【００１６】
なお、ＴＶ共聴システムに、電波時計を内蔵した民生用ＶＴＲなどの電子機器を接続し、受信した長波標準電波に基づいて、このような電子機器に内蔵された電波時計の時刻を修正することができる。
【００１７】
【発明の実施の形態】
以下、本発明の実施の形態について図面を参照しつつ説明する。本発明においては、前記既存のＴＶ共聴システムに簡単な部品を付加することにより、長波標準電波を受信することを基本的な構成とするものである。図１は本発明の一例を示すブロック図である。
【００１８】
図１において、ＴＶ共聴システム１０については図３と同じ符号を付しており、詳細な説明は省略する。本発明の長波標準電波伝送システム３０においては、ＴＶ共聴システム１０に長波標準電波受信システム２０を付加している。２１は、前記長波標準電波である４０ｋＨｚの周波数信号と、６０ｋＨｚの周波数信号を受信するためのアンテナである。アンテナ２１は、建造物の屋上などに設置される。アンテナ２１としては、長波長電波の受信に適しているループアンテナやワイアーアンテナが用いられる。
【００１９】
２２は、バンドパスフィルタ２３と増幅器２４を設けた受信機である。バンドパスフィルタ２３は、アンテナ２１により受信した信号から４０ｋＨｚの周波数信号、または６０ｋＨｚの周波数信号のみ、又はその双方を通過させるものであり、例えばヘテロダインフィルタが使用される。
【００２０】
増幅器２４は、バンドパスフィルタ２３を通過した信号のレベル低下を補償する。本発明は、このようにバンドパスフィルタ２３を設置して、アンテナ２１により受信した信号から長波標準電波である４０ｋＨｚの周波数信号と、６０ｋＨｚの周波数信号のみ、又はその双方を通過させている。このため、ＴＶ電波に低域信号が混入することによる歪の発生を防止することができる。
【００２１】
３１は、ＴＶ共聴システム１０のヘッドエンド２から出力されたＴＶ放送電波の信号と、長波標準電波受信システム２０の増幅器２４から出力された長波標準電波の信号との合波器である。ハイパスフィルタ３を通して合波器３１の出力信号の中から、７０〜１５５０ＭＨｚのＴＶ信号が取り出され、増幅器４に入力される。
【００２２】
また、合波器３１の出力信号の中で、ローパスフィルタ３２で４０ｋＨｚの周波数信号と、６０ｋＨｚの周波数信号の長波標準電波が取り出されて増幅器３３に入力される。このように、本発明においては、ＴＶ信号と長波標準電波の信号を分離してフィルタリング処理するように構成している。
【００２３】
すなわち、ＴＶ信号と長波標準電波とをそれぞれ必要な周波数帯域のみを通過させるように異なる特性のフイルタを並列に接続している。このため、既存のＴＶ共聴システムを用いて、ＴＶ放送電波の信号と重畳して長波標準電波の信号を伝送することができる。
【００２４】
ハイパスフィルタ４とローパスフィルタ３３の結節点Ａから各階Ｎ１、Ｎ２・・・の分波器５ａ、５ｂ・・・までは既存のＴＶ共聴システムのケーブルを利用する。各分波器５ａ、５ｂには、ＴＶ信号と分離して長波標準電波を取り出すために、ローパスフィルタ３４ａ、３４ｂ・・・が接続されている。各ローパスフィルタ３４ａ、３４ｂ・・・の出力信号は、増幅器３５ａ、３５ｂ・・・により信号レベルの低下が補償される。
【００２５】
増幅器３５ａ、３５ｂ・・・の出力信号は、各階の各室内に設置されているループ状の電波放射線輪３６ａ、３６ｂ・・・に供給される。電波放射線輪３６ａ、３６ｂ・・・からは、長波標準電波が室内に存在する電波時計３７ａ、３７ｂ・・・に内蔵されているアンテナに向けて長波標準電波が放射される。この際に、室内に放射される長波標準電波の強度は、建造物外部に漏洩して種々の悪影響を及ぼさないように、電波法に定める著しく微弱な電波となるように調整される。
【００２６】
前記結節点Ａからの距離により、長波標準電波について信号レベルの低下の度合いが異なるので、各階に設置されているローパスフィルタ３４ａ、３４ｂ・・・の特性は、信号レベルの低下を補償するように個別に選定される。電波時計３７ａ、３７ｂ・・・は、壁掛け式のものやスタンド式のものの他、腕時計形式のものでも良い。
【００２７】
このように、本発明においては、ＴＶ共聴システムのケーブルを利用して長波標準電波を各階に伝送しているので、各階に新たな信号伝送用の配線を行う必要がない。このため、遮蔽部材が用いられている建造物内で長波標準電波を受信するためのコストを低減することができる。なお、長波標準電波の放射手段としてループ状の電波放射線輪３６ａ、３６ｂ・・・に代えて、ワイアーアンテナやフェライトバーアンテナのような他の形態の電波放射手段を設置しても良い。
【００２８】
図２は、本発明の他の実施形態を示すブロック図である。図２において、４０は長波標準電波を屋内で受信する電波時計キットである。電波時計キット４０には、アンテナ４１、ＣＰＵ４２、液晶表示器（ＬＣＤ）４３、インターフェイス４４、４５が設けられている。
【００２９】
アンテナ４１は、例えばフェライトコア棒に線輪を所定数巻回して構成される。インターフェイス４４には、外付けの温度センサ４６が適宜の信号線で接続される。ＬＣＤ４３には、アンテナ４１で受信した長波標準電波による標準時刻で修正された時刻がデジタル表示される。また、温度センサ４６で計測された周囲温度がデジタル表示される。
【００３０】
５０は、時計部を内蔵しているパーソナルコンピュータ（パソコン）などの電子機器である。電子機器５０には、ＣＰＵ５１、時計部５２、インターフェイス５３が設けられている。インターフェイス５３は、電波時計キット４０のインターフェイス４５と適宜の信号線で接続される。
【００３１】
電子機器５０の時計部５２による時刻は、ＣＰＵ５１により電波時計キット４０で受信した長波標準電波による標準時刻と比較される。比較の結果、誤差がある場合には、前記時計部５２による時刻を修正する。このように、本発明は、電波時計の時刻を標準時刻に修正する用途の他に、受信した標準時刻に基づいて、パソコンなどのような電子機器の内蔵時計の時刻を修正する際に使用することもできる。
【００３２】
図３は、本発明の他の実施形態を示すブロック図である。図１と同じ部分には同一符号を付しており、重複を避けるために詳細な説明は省略する。図３においては、ＴＶ共聴システムに電波時計内蔵のＶＴＲ（ビデオテープレコーダ）を接続し、当該電波時計の時刻を修正するものである。
【００３３】
ＴＶ共聴システム１０の分波器５ｃには、ＴＶ信号と分離して長波標準電波を取り出すために、ローパスフィルタ３４ｂが接続されている。ローパスフィルタ３４ｂの出力信号は、増幅器３５ｂにより信号レベルの低下が補償される。３８は長波標準電波の受信部、３９は電波時計内蔵のＶＴＲである。
【００３４】
このように、本発明においてはＴＶ共聴システムに接続された電波時計内蔵の民生用ＶＴＲなどの電子機器に対しても、受信した標準時刻に基づいて、内蔵された電波時計の時刻を修正することができる。特に、ＶＴＲの場合には、内蔵された電波時計により日付や時刻が正確に刻まれるので、ＴＶ番組を録画する際の収録時刻エラー発生を防止できるという利点がある。
【００３５】
このように、本発明の長波標準電波伝送システムを用いると、簡単な構成で電波時計や電子機器の内蔵時計の時刻を修正することができる。本発明は、標準時刻による時刻修正の他に、標準周波数の校正手段としても用いることができる。すなわち、４０ｋＨｚの長波標準電波を受信した場合であれば、１周期が２５μｓの周波数となる。したがって、周期を比較することにより受信装置に設けた周波数発生手段の出力周波数にずれがあるかどうかが判明し、標準周波数とのずれがある場合には校正して正確な周波数を発生させるようにすることができる。
【００３６】
【発明の効果】
以上の説明から明らかなように、本発明によれば、　本発明は、このように、既存のＴＶ共聴システムに簡単な構成を付加することにより、遮蔽部材を用いた建造物においても長波標準電波を受信して受信装置に伝送することができる。このため、専用の伝送回路が不要であり長波標準電波を受信するためのコストを低減することができる。この際に、ＴＶ放送信号に低域信号の歪が混入することを防止しているので、ＴＶ視聴に影響を及ぼすことを避けることができる。
【００３７】
また、建造物内部に設置されている電波時計や、電子機器に内蔵された時計の時刻を標準時刻に修正することが可能となる。更に、受信装置に設けられている周波数発生装置の出力周波数を校正することができる。
【００３８】
なお、ＴＶ共聴システムに、電波時計を内蔵した民生用ＶＴＲなどの電子機器を接続し、受信した長波標準電波に基づいて、このような電子機器に内蔵された電波時計の時刻を修正することができる。
【図面の簡単な説明】
【図１】本発明の実施形態に係る長波標準電波伝送システムの例を示すブロック図である。
【図２】本発明の他の実施形態を示すブロック図である。
【図３】本発明の他の実施形態を示すブロック図である。
【図４】ＴＶ共聴システムの例を示すブロック図である。
【符号の説明】
１・・・アンテナ
２・・・ヘッドエンド
３・・・ハイパスフィルタ
４・・・増幅器
５ａ、５ｂ・・・分波器
６ａ、６ｂ・・・ハイパスフィルタ
７ａ、７ｂ・・・増幅器
８ａ、８ｂ・・・ＴＶ受像機
１０・・・ＴＶ共聴システム
２０・・・長波標準電波受信システム
２１・・・アンテナ
２２・・・受信機
２３・・・バンドパスフィルタ
２４・・・増幅器
３０・・・長波標準電波伝送システム
３１・・・合波器
３２・・・ローパスフィルタ
３３・・・増幅器
３４ａ、３４ｂ・・・ローパスフィルタ
３５ａ、３５ｂ・・・増幅器
３６ａ、３６ｂ・・・電波放射線輪
３７ａ、３７ｂ・・・電波時計
３８・・・長波標準電波受信部
３９・・・電波時計内蔵のＶＴＲ
【図１】
2004015453.tif 000003
【図２】
2004015453.tif 000004
【図３】
2004015453.tif 000005
【図４】
2004015453.tif 000006